(57)【要約】【課題】使用者自身が望むデザインに帽子の内側を装飾することができ、かつ、装飾を容易に変更することができ、かつ、帽子が化粧等で汚れることを防ぐことができ、かつ、帽子用テープ自体の汚れも目立たない帽子用テープを提供する。【解決手段】帽子用テープであって、剥離紙層と、粘着層と、基布層と、が積層され、前記基布層は、伸縮性を有する材料により構成され、前記基布層の前記粘着層とは反対側の表面には、絵柄部が形成されている、帽子用テープ。【選択図】図１
2019070210.tif 000002
【特許請求の範囲】
【請求項１】
帽子用テープであって、
剥離紙層と、
粘着層と、
基布層と、
が積層され、
前記基布層は、伸縮性を有する材料により構成され、
前記基布層の前記粘着層とは反対側の表面には、絵柄部が形成されている、
帽子用テープ。
【請求項２】
前記帽子用テープは、長さ方向の所定の長さ毎に切り取り線が設けられている、
請求項１に記載の帽子用テープ。
【請求項３】
前記絵柄部の絵柄は、ハート柄、星柄、クロス柄、花柄、文字柄、ストライプ柄及びチェック柄の群から選択される１つ又は２つ以上の絵柄からなる、
請求項１又は２に記載の帽子用テープ。
【発明の詳細な説明】
【技術分野】
【０００１】
本発明は、帽子に貼りつけるテープに関するものである。
【背景技術】
【０００２】
帽子は、製造者や、製造者に属しているデザイナーがデザインしたものであり、使用者は、既にデザインされ製造されたものの中から、適宜選択して購入する。即ち、使用者は、自身が気に入ったデザインの帽子を購入する。
【０００３】
また、帽子を被っている人は、例えば、夏場、昼間または運動時においては、大量に汗をかき得る。そのため、汗や、汗によって崩れた化粧（例えば、ファンデーションなど）によって帽子の内側部分（使用者の頭部の収納部分）が汚れるのを防ぐため、汗を吸収する吸汗シートを利用することがある。例えば、特許文献１には、帯状の使い捨ての汗取りシートを使用者の頭部に取り付け、流れ出る汗を、内蔵している吸水質材に吸い取らせる技術が開示されている。
【先行技術文献】
【特許文献】
【０００４】
【特許文献１】特開平８−１５８１３７号公報
【発明の概要】
【発明が解決しようとする課題】
【０００５】
しかしながら、オシャレを気にする帽子の使用者は、他人の帽子との差別化を図りたいことが多い。特に、帽子を被っていないときにみえる、帽子の内側部分にまでは、使用者の好みのデザインが施されてないことが多く、他人の帽子との差別化のために、使用者自身が好みのデザインにアレンジできる方法が求められていた。また、使用者は、気分や服装、更にはその日の天気等によっても好みのデザインが変わるため、それらに応じてデザインのアレンジを変更できる方法が好ましい。
【０００６】
さらに、特許文献１の帽子の内側の汚れを防ぐ方法は、使い捨ての吸汗シートを直接使用者の頭部などに貼りつけるもので、外部からの見栄えが悪いという問題があった。帽子の汚れを防ぐ方法としては、他にも、吸汗シートを帽子の内側に貼りつける方法も考えられるが、この場合、帽子を脱いだ際に吸汗シートをつけていること、更には、その吸汗シート自体が汚れていることを見られることを、使用者は大変気にする。
【０００７】
本発明は、このような従来の課題に鑑みてなされたものであり、使用者自身が望むデザインに帽子の内側を装飾することができ、かつ、装飾を容易に変更することができ、かつ、帽子が化粧等で汚れることを防ぐことができ、かつ、帽子用テープ自体の汚れも目立たない帽子用テープを提供することを目的とする。
【課題を解決するための手段】
【０００８】
前記目的を達成するために、本発明の帽子用テープは、
剥離紙層と、
粘着層と、
基布層と、
が積層され、
前記基布層は、伸縮性を有する材料により構成され、
前記基布層の前記粘着層とは反対側の表面には、絵柄部が形成されていることを特徴としている。
【発明の効果】
【０００９】
使用者自身が望むデザインに帽子の内側を装飾することができ、かつ、装飾を容易に変更することができ、かつ、帽子が化粧等で汚れることを防ぐことができ、かつ、帽子用テープ自体の汚れも目立たない帽子用テープを提供することができる。
【図面の簡単な説明】
【００１０】
【図１】本実施形態に係る帽子用テープの概略斜視図の一例である。
【図２】本実施形態に係る帽子用テープを貼りつけた帽子の一例である。
【発明を実施するための形態】
【００１１】
以下、本発明に係る一実施形態について図面を参照して説明する。ただし、以下の実施形態に記載されている構成要素は例示であり、本発明の技術範囲をそれらのみに限定する趣旨のものではない。
【００１２】
（帽子用テープの構成及び材料構成）
図１に、本実施形態に係る帽子用テープの概略斜視図の一例を示す。図１に示されるように、本実施形態に係る帽子用テープ１００は、一例として平面視で、帯状に形成される帯状テープで、剥離紙層１０と、粘着層２０と、基布層３０とがこの順番に積層された構造を有する。
【００１３】
剥離紙層１０は、使用前の帽子用テープ１００の粘着層２０を保護するために設けられ、不透液性及び／又は非通気性のフィルム材料で構成されることが好ましい。
【００１４】
剥離紙層１０の具体例としては、特に限定されないが、プラスチックフィルム、例えばポリエチレンテレフタレートフィルム、ポリブチレンテレフタレートフィルム、ポリエチレンナフタレートフィルムなどのポリエステルフィルム、ポリエチレンフィルム、ポリプロピレンフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリフェニレンスルフィドフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等を挙げることができる。
【００１５】
粘着層２０は、帽子用テープ１００を帽子に対して固定するために、後述する基布層３０と剥離紙層１０との間に設けられる。
【００１６】
粘着層２０の具体例としては、帽子用テープを帽子に対して固定できれば特に限定されず、例えばアクリル系粘着剤、ゴム系粘着剤、シリコーン系粘着剤、ウレタン系粘着剤が挙げられる。
【００１７】
上記粘着剤の中でも、アクリル系粘着剤を使用することが好ましい。アクリル系粘着剤は、帽子の材料に対して選択性があり、どのような帽子の材料であっても比較的安定した粘着力を有する。また、アクリル系粘着剤は、アクリルモノマーを選択して共重合したり、重合後に変性させることにより、透明性、耐熱性、耐候性及び耐溶剤性等に優れた粘着剤になるという特長を有する。
【００１８】
粘着層２０は、帽子用テープ１００を帽子に対して固定できれば良いため、基布層３０の全面に粘着層２０が設けられてもよいし、基布層３０の一部、例えば基布層３０の周縁部にのみ粘着層２０が設けられても良い。
【００１９】
基布層３０は、主として帽子を装飾する役割を果たす層であり、基布層３０の表面であって、粘着層１０とは反対側の表面には、絵柄部が形成されている。基布層３０の表面であって、粘着層１０とは反対側の表面は、帽子用テープ１００を帽子に貼りつけた際に、外から見える面である。そのため、絵柄部が形成されていることにより、帽子を装飾することができる。
【００２０】
基布層３０の絵柄部としては、特に限定されないが、ハート柄、星柄、クロス柄、花柄、文字柄、ストライプ柄及びチェック柄などが挙げられる。これらの絵柄は、１つの絵柄が形成されていてもいいし、複数の絵柄が形成されていてもよい。
【００２１】
基布層３０は、帽子用テープ１００を帽子に貼って利用する観点から、伸縮性を有することが好ましい。そのため、基布層３０の具体例としては、伸縮性を有する不織布を使用することが好ましい。特に限定されないが、伸縮性を有する不織布は、例えば、ポリオレフィン系エラストマー、ポリウレタン系エラストマー、ポリスチレン系エラストマー、ポリアミド系エラストマー、ポリエステル系エラストマー、及びそれらの組み合わせなどの熱可塑性エラストマーを有する伸縮性ネットと、例えば、コットンなどの繊維ウェブとから得ることができる。
【００２２】
また、基布層３０は、使用者の化粧料（例えば、ファンデーション）及び／又は汗や皮脂等の汚れから帽子を物理的に保護する、及び／又は、帽子に付着する化粧料及び前記汚れを外部から目立たなくする役割も果たす。
【００２３】
基布層３０は、デオドランド効果を有する素材を混合しても良い。これにより、清潔かつ吸汗効果を有する帽子用テープ１００を得ることができる。
【００２４】
更に、本実施形態に係る帽子用テープ１００は、リンゴに代表されるフルーツ系、バラに代表される草花系、ムスクに代表される動物系などの各種香りを有する構成であっても良い。この場合、例えば、香料マイクロカプセルを粘着層２０に含有させ、帽子用テープ１００を帽子に貼る際の転写圧によって香料マイクロカプセルが破壊されることにより、香りを発生させる方法が挙げられる。
【００２５】
本実施形態に係る帽子用テープ１００を帽子に貼る場合、帽子の例えば内周を全周装飾してもよいし、一部をピンポイントで装飾しても良い。テープを切り取る場合、通常は手で切り取るかハサミを使用するが、一部をピンポイントで装飾する場合に備え、帽子用テープ１００並びに剥離紙層１０は、図１の破線で示すように、帯状のテープの長さ方向の所定の長さ毎に切り取り線を設けておくことが好ましい。これにより、帽子用テープ１００の長さを自由に切断して、帽子をピンポイントで装飾することができる。また、剥離紙層１０に切り取り線を設けることで、帽子の湾曲に対しても容易に帽子用テープ１００を帽子に貼りつけることができる。
【００２６】
なお、帽子用テープ１００を所定の長さ毎に切り取り線を設けた場合、各々のブロック毎に絵柄部の絵柄を変更しても良い。また、各々のブロックに、複数の絵柄を形成しても良い。
【００２７】
（実施例）
図２に、本実施形態に係る帽子用テープを貼りつけた帽子の一例を示す。本実施形態に係る帽子用テープ１００は、剥離紙層１０を剥がし、粘着層２０を、例えば、帽子２００の内側の縁部に沿って貼りつける。なお、帽子用テープ１００は、帽子２００の内側の縁部に沿って全周にわたって貼りつけてもよいし、一部だけ、例えば、特に汗をかく箇所や、化粧料が付着しやすい箇所（例えば使用者のおでこに対応する位置）にのみ貼りつけても良い。
【００２８】
本実施形態に係る帽子用テープを貼りつけることにより、使用者は、自身が望むデザインに帽子の内側を装飾することができる。また、使用者の気分や服装に応じて、帽子用テープを貼り変えるだけで、容易に装飾を変更することができる。さらに、使用者が帽子２００を被っていない場合であっても、帽子用テープ１００の外部から見える位置には、絵柄部が形成されているため、外部からの見栄えが損なわれることはない。
【００２９】
またさらに、使用者は帽子用テープ１００を介して帽子２００を被るため、使用者の頭部と帽子２００との接触面には、帽子用テープ１００が位置する。結果により、使用者の頭部に塗布した化粧料（例えば、ファンデーション）や、使用者の汗は、帽子２００には付着しない又は帽子の汚れが外部から目立たなくなる。この際、帽子用テープ１００自体の装飾により、帽子用テープ自体の汚れも外部から目立たなくなる。また、気分や服装などによって帽子の柄を変更した場合や、帽子用テープ１００が汚れた場合には、帽子用テープ１００を帽子２００から剥がして新しい帽子用テープ１００を貼る。即ち、帽子用テープ１００は、使い捨てにすることができる。
【符号の説明】
【００３０】
１０    剥離紙層
２０    粘着層
３０    基布層
１００  帽子用テープ
２００  帽子
【図１】
2019070210.tif 000003
【図２】
2019070210.tif 000004